(57)【要約】【課題】本発明は、サーバーを提供することを目的とする。【解決手段】本発明のサーバーは、前壁を有するケース及び前壁の両端に装着される２つのハンドルを備え、前壁に複数のケーブルが接続され、ハンドルには、使用者がハンドルを把持するために、前記使用者の手を挿入する中空部が設けられ、ハンドルの中空部の片側には、中空部に連通しており、且つ複数のケーブルを係合するための複数のケーブル整理用凹部が設けられる。【選択図】図２
2014038607.tif 000002
【特許請求の範囲】
【請求項１】
前壁を有するケース及び前記前壁の両端に装着される２つのハンドルを備え、前記前壁に複数のケーブルが接続され、前記ハンドルには、使用者が当該ハンドルを把持するために、前記使用者の手を挿入する中空部が設けられ、前記ハンドルの中空部の片側には、前記中空部に連通しており、且つ複数の前記ケーブルを係合するための複数のケーブル整理用凹部が設けられることを特徴とするサーバー。
【請求項２】
前記ハンドルの中空部の前記ケーブル整理用凹部の反対側には、前記中空部に連通しており、且つ親指以外の他の手指と係合するための手指係合用凹部が設けられることを特徴とする請求項１に記載のサーバーキャビネット。
【請求項３】
複数の前記ケーブル整理用凹部の寸法は互いに異なることを特徴とする請求項１に記載のサーバーキャビネット。
【発明の詳細な説明】
【技術分野】
【０００１】
本発明は、サーバーに関するものである。
【背景技術】
【０００２】
複数のサーバーを１つのサーバーキャビネットに装着した場合に、空間を節約するばかりでなく、複数のサーバーを容易に管理することができる。また、複数のサーバーが協働して作動するため、大量の演算処理を実行することができる。
【発明の概要】
【発明が解決しようとする課題】
【０００３】
しかし、サーバーキャビネットからサーバーを取り出す場合、サーバーキャビネット内で複数のサーバーのケーブルが絡み合ってプラグが不注意に外れる場合があり、且つサーバーが手から離れて落ちる場合もある。
【０００４】
本発明の目的は、前記課題を解決し、容易に把持することができ且つケーブル整理機能を有するサーバーを提供することである。
【課題を解決するための手段】
【０００５】
本発明に係るサーバーは、前壁を有するケース及び前壁の両端に装着される２つのハンドルを備え、前壁に複数のケーブルが接続され、ハンドルには、使用者がハンドルを把持するために、前記使用者の手を挿入する中空部が設けられ、ハンドルの中空部の片側には、中空部に連通しており、且つ複数のケーブルを係合するための複数のケーブル整理用凹部が設けられる。
【発明の効果】
【０００６】
本発明のサーバーにおいて、前壁の両端には２つのハンドルが装着されて、使用者は２つのハンドルによってサーバーを容易に把持することができ、且つハンドルにはケーブル整理用凹部が設けられているので、サーバーに接続されたケーブルを便利に整理することができる。
【図面の簡単な説明】
【０００７】
【図１】本発明の実施形態に係るサーバーの分解図である。
【図２】図１に示すサーバーの組立図である。
【発明を実施するための形態】
【０００８】
以下、図面を参照して、本発明の実施形態について説明する。
【０００９】
図１及び図２を参照すると、本発明の実施形態に係るサーバーは、ケース１０と、２つのハンドル２０と、２つの固定タブ３０と、を備える。
【００１０】
ケース１０は、前壁１２と、前壁１２の両端から後方に向かって垂直に延在している２つの側壁１４と、を備える。前壁１２には、複数のケーブル１６が接続される。各々の側壁１４における前壁１２に近い箇所には、２つのねじ孔１４１が設けられる。
【００１１】
ハンドル２０は、把持部２１と、把持部２１の後方に設置される固定部２３と、を備える。把持部２１の中央部には、使用者の手を挿入することができる中空部２１２が設けられる。把持部２１における中空部２１２の前側には、親指以外の他の４つの手指を係合するための手指係合凹部２１４が設けられる。把持部２１における中空部２１２の後側には、それぞれ寸法が異なる複数のＣ字状のケーブル整理用凹部２１６が設けられる。手指係合用凹部２１４及びケーブル整理用凹部２１６は、全て中空部２１２に連通している。固定部２３は、把持部２１に対して垂直に接続される接続シート２３１と、接続部２３１の把持部２１から離隔した片側から後方に向かって垂直に延在している固定シート２３３と、を備える。接続シート２３１及び固定シート２３３には、それぞれ２つの貫通孔２３４が設けられる。
【００１２】
固定タブ３０の中央部には、１つの貫通孔（図示せず）が設けられ、固定タブ３０の一端には、２つの貫通孔３１が設けられる。
【００１３】
以下、サーバーの組立過程を説明する。
【００１４】
先ず、４つの固定部材５０を２つの固定タブ３０の４つの貫通孔３１内に挿入してから２つのハンドル２０の接続シート２３１の貫通孔２３４に固定して、２つの固定タブ３０の一端を別々に２つのハンドル２０に固定させる。本実施形態において、固定部材５０はリベットである。次に、２つのハンドル２０の固定部２３をケース１０の２つの側壁１４と前壁１２との接続部に当接し、即ち２つの固定部２３の接続シート２３１は前壁１２の両端に当接し、２つの固定部２３の固定シート２３３は２つの側壁１４の前端に当接し、且つ２つの固定シート２３３の貫通孔２３４はちょうど２つの側壁１４のねじ孔１４１に対応する。次に、４つのねじ６０を２つの固定シート２３３の貫通孔２３４内に挿入してから２つの側壁１４のねじ孔１４１に螺合して、２つのハンドル２０をケース１０の前端の両側に固定して、サーバーの組立を完成する。
【００１５】
使用する場合、前壁１２に接続されたケーブル１６を１つのハンドル２０の中空部２１２に貫通させた後で、これらのケーブル１６を各自の寸法によって対応するケーブル整理凹部２１６にそれぞれに係合する。従って、前壁１２に接続された複数のケーブル１６は、ハンドル２０にきちんとして接続される。
【００１６】
スライドレール装置によってサーバーをサーバーキャビネットに装着する場合、スライドレール装置の第一スライドレールはサーバーキャビネットに固定され、第二スライドレールはサーバーの２つの側壁１４に固定され、２つのねじ４０は２つの固定タブ３０の中央部の貫通孔内に挿入されてサーバーキャビネットの両側の立柱に螺合させて、サーバーをサーバーキャビネットの内部に固定する。サーバーキャビネットからサーバーを取り出す場合、２つのねじ４０を取り外してから、使用者は２つのハンドル２０を操作する際、サーバーはスライドレール装置によってサーバーキャビネットから自由に引き出される。サーバーのケーブル１６はハンドル２０にきちんとして接続されるので、複数のサーバーのケーブルが絡み合わない。
【００１７】
以上、本発明を実施形態に基づいて具体的に説明したが、本発明は、上述の実施形態に限定されるものではなく、その要旨を逸脱しない範囲において、種々の変更が可能であることは勿論であって、本発明の技術的範囲は、以下の特許請求の範囲から決まる。
【符号の説明】
【００１８】
１０  ケース
１２  前壁
１４  側壁
１６  ケーブル
２０  ハンドル
２１  把持部
２３  固定部
３０  固定タブ
３１，２３４  貫通孔
４０、６０  ねじ
５０  固定部材
１４１  ねじ孔
２１２  中空部
２１４  手指係合用凹部
２１６  ケーブル整理用凹部
２３１  接続シート
２３３  固定シート
２３４  貫通孔
【図１】
2014038607.tif 000003
【図２】
2014038607.tif 000004